(57)【要約】【課題】ブロアモータによって発生するカーボンダストや塵埃の排出が防止でき、メンテナンスの簡素化が得られる清掃装置を提供する。【解決手段】吸引口２７ａを備えた吸入流路２７が集塵室（汚水タンク）２８及び送風流路２９を介してブロアケース３０に連通し、ブロア装置５５によって集塵室２８内を負圧せしめて塵埃等を吸引口２７ａから吸入流路２７を介して集塵室２８に吸引収容すると共にブロアケース３０内のフィルタ６２、６３で作業空気を清浄して外部に排出する清掃装置であって、外気を導入してブロアモータ５９を冷却するモータ収容室３３Ａと送風流路２９を冷却風ダクト５１で連通する。ブロアモータ５９から発生するカーボンダストや塵埃が冷却風と共に冷却風ダクト５１及び送風流路２９を介してブロアケース３０内に吸引されてフィルタ６２、６３によって清浄され、外部に排出されることが防止できる。【選択図】図６
2010082365.tif 000002
【特許請求の範囲】
【請求項１】
吸引口を備えた吸入流路が集塵室及び該集塵室に連続する送風流路を介してブロアケースに連通し、該ブロアケース内に配置されたブロアファン及び該ブロアファンを回転駆動するブロアモータを具備するブロア装置によってブロアケース内に作業空気を吸引して集塵室内を負圧せしめて塵埃を上記吸引口から吸入流路を介して集塵室に吸引収容すると共に作業空気をブロアケース内に配置されたフィルタで清浄して外部に排出する清掃装置において、
上記ブロア装置は、ブロアモータを収容するブロアモータハウジングを備え、該ブロアモータハウジング内に外気を導入してブロアモータを冷却し、該ブロアモータを冷却した冷却風を上記送風流路に吸引させることを特徴とする清掃装置。
【請求項２】
吸引口を備えた吸入流路が集塵室を介してブロアケースに連通し、該ブロアケース内に配置されたブロアファン及び該ブロアファンを回転駆動するブロアモータを具備するブロア装置によってブロアケース内に作業空気を吸引して集塵室内を負圧せしめて塵埃を上記吸引口から吸入流路を介して集塵室に吸引収容すると共に作業空気をブロアケース内に配置されたフィルタで清浄して外部に排出する清掃装置において、
上記ブロア装置は、ブロアモータを収容するブロアモータハウジングを備え、該ブロアモータハウジング内に外気を導入してブロアモータを冷却し、該ブロアモータを冷却した冷却風を上記フィルタより上流側でブロアケース内に吸引させることを特徴とする清掃装置。
【請求項３】
吸引口を備えた吸気通路が集塵室及び該集塵室に連続する送風流路を介してブロアケースに連通し、該ブロアケース内に配設されたブロアファン及び該ブロアファンを回転駆動するブロアモータを具備するブロア装置によってブロアケース内に作業空気を吸引して集塵室内を負圧せしめて塵埃を上記吸引口から上記吸入流路を介して上記集塵室に吸引収容すると共にブロアケース内に配置したフィルタで作業空気を清浄して外部に排出する清掃装置において、
上記ブロアケース内を区画して形成した、上記ブロアモータが配置され外気を導入してブロアモータを冷却するモータ収容室と、
該モータ収容室と上記送風流路を連通してブロアモータを冷却した冷却風を上記送風流路に吸引させる冷却風ダクトと、を備えたことを特徴とする清掃装置。
【請求項４】
上記フィルタは、ＨＥＰＡフィルタを含む複数のフィルタを備えたことを特徴とする請求項１〜３のいずれか１項に記載の清掃装置。
【発明の詳細な説明】
【技術分野】
【０００１】
本発明は、清掃装置に関し、特に吸引口を備えた吸入流路が集塵室を介してブロア装置を備えたブロアケースに連通し、ブロア装置によって塵埃を吸引口から吸入流路を介して集塵室に吸引収容する清掃装置に関する。
【背景技術】
【０００２】
一般に、清掃装置は、吸引口からブロア装置によって吸引された塵埃を集塵室に集積するように構成されている。この種の清掃装置としては、例えば特許文献１がある。この清掃装置は、吸引口が開口された集塵室に絞り筒を介してブロアケースが接続され、ブロアケース内にブロアモータによって回転駆動されるブロアファンを備え、絞り筒内に粗塵用フィルタ及び細塵用フィルタが重ね合わされたフィルタ収容ケースを揺動可能に支持する集塵ケース配置され、集塵室に使い捨て自在な袋状のフィルタ、即ち集塵袋が設けられる。
【０００３】
この構成により、吸引口から吸引された塵埃を含む作業空気が集塵室に導かれて集塵袋に導入され、集塵袋によって塵埃が捕集され、かつ集塵ケースに配設されたフィルタ収容ケース内の粗塵用フィルタ及び細塵用フィルタを通過する間に集塵袋を通過した粗塵及び細塵が捕集されたうえで作業空気がモータの内部を通過して機外に排出される。
【０００４】
一方、製薬会社の調剤エリア、病院、半導体工場等の空気清浄度が管理されたクリーンルーム等の清掃において、清掃装置から多くの微粒子状の塵埃が排出されると、クリーンルーム等の環境を悪化させて薬剤同士の交叉汚染による品質トラブル等を引き起こす要因となることから排出される塵埃を極力少なくする自走式清掃装置がある。
【０００５】
この清掃装置は、図９に模式的に示すように、自走式清掃装置本体に設けられた洗浄液用タンクからノズル１０１を介して洗浄液を床面に散布する洗浄液手段、床面を磨く回転ブラシ１０２、及びスクイジ１０３が前方から後方に順に配置されている。更にスクイジ１０３の前方に吸引口１０４ａが開口する吸入流路１０４を介して連通する汚水タンク１０５及び汚水タンク１０５に送風流路１０６を介して連通するブロアケース１０８を有し、ブロアケース１０８にブロアファン１０９ａ及びブロアモータ１０９ｂを備えたブロア装置１０９が設けられ、送風流路１０６とブロア装置１０９との間にプレフィルタ１１１及び微粒子状の塵埃を捕集可能なＨＥＰＡフィルタ１１２が介在している。ブロアケース１０８内に収容されたブロアモータ１０９ｂはブロアケース１０８に開口する空気導入口１１０ａからブロアケース１０８内に導入され導出口１１０ｂから排出される冷却空気によって冷却される。
【０００６】
このように構成された自走式清掃装置は、走行と共にノズル１０１から洗浄液用タンク内の洗浄液を床面に散布し、その洗浄液の存在下で回転する回転ブラシ１０２で床面を磨き、かつブロア装置１０９によって汚水タンク１０５内を負圧せしめて床面上の洗浄液を空気、即ち作業空気と共に吸引通路１０４を介して汚水タンク１０５内に吸引して回収する。汚水タンク１０５からブロア装置１０９によって吸引されてブロアケース１０８内に吸引され排出口１０８ａから外部に放出される作業空気は、プレフィルタ１１１によって塵埃等が捕集され、更にＨＥＰＡフィルタ（Ｈigh  Ｅfficiency Particulate Ａir Filter）１１２によって微粒子状の塵埃が捕集され、極めて混在する塵埃が少ない清浄な空気が排出口１０８ａから放出される。
【０００７】
また、特許文献２には、ブロアケース内をブロアファンが配置されるブロアファン室と、ブロアモータが配置される密閉されたブロアモータ室に区画して、ブロアモータの駆動によって発生したカーボンダストや回転部分の摩耗等により発生する塵埃をブロアモータ室内に堆積させて外部への排出を防止する清掃装置のブロアケースが提案されている。
【０００８】
【特許文献１】特開平１０−２３４６３０号公報
【特許文献２】特開２００８−１５４６３４号公報
【発明の開示】
【発明が解決しようとする課題】
【０００９】
上記特許文献１によると、吸引口から吸引された塵埃が集塵室内の集塵袋に捕集され、更にフィルタ収容ケース内の粗塵用フィルタ及び細塵用フィルタを通過する間に、集塵袋を通過した粗塵及び細塵が捕集されたうえで作業空気がモータの内部を通過して外部に排出される。
【００１０】
しかし、粗塵用フィルタ及び細塵用フィルタによって塵埃が捕集された作業空気がモータ内部を通過して機外に排出されることから、モータの駆動によりモータ内部の回転部の摩耗等によって発生する塵埃が作業空気と共に外部に排出されることが懸念される。
【００１１】
一方、図９に示す清掃装置によると、ブロア装置１０９によってブロアケース１０８内に吸引される作業空気は、プレフィルタ１１１によって塵埃等が捕集され、更にＨＥＰＡフィルタ１１２によって微粒子状の塵埃が捕集された作業空気が排出口１０８ａから放出される。
【００１２】
しかし、ブロアケース１０８内に収容されたブロアモータ１０９ｂをブロアケース１０８に開口する空気導入口１１０ａからブロアケース１０８内に導入され導出口１１０ｂから排出される冷却空気によって冷却することから、ブロアモータ１０９ｂの駆動により発生するブラシダスト、即ちカーボンダストやモータ内部の回転部の摩耗等によって発生する塵埃が冷却空気と共に空気導出口１１０ｂから外部に排出されることが懸念される。
【００１３】
また、特許文献２によると、ブロアモータの駆動によって発生したカーボンダストや回転部分の摩耗等により発生する塵埃がブロアモータ室内に堆積することによって、カーボンダストや塵埃の外部への排出が防止できる。しかし、ブロアモータ室内に堆積したカーボンダスト等によるブロアモータへの影響が懸念され、ブロアモータ室内に堆積したカーボンダストや塵埃を除去するメンテナンスが必要になる。
【００１４】
従って、かかる点に鑑みなされた本発明の目的は、ブロアモータによって発生するカーボンダストや塵埃の排出が防止でき、且つメンテナンスの簡素化が得られる清掃装置を提供することにある。
【課題を解決するための手段】
【００１５】
上記目的を達成する請求項１に記載の清掃装置の発明は、吸引口を備えた吸入流路が集塵室及び該集塵室に連続する送風流路を介してブロアケースに連通し、該ブロアケース内に配置されたブロアファン及び該ブロアファンを回転駆動するブロアモータを具備するブロア装置によってブロアケース内に作業空気を吸引して集塵室内を負圧せしめて塵埃を上記吸引口から吸入流路を介して集塵室に吸引収容すると共に作業空気をブロアケース内に配置されたフィルタで清浄して外部に排出する清掃装置において、上記ブロア装置は、ブロアモータを収容するブロアモータハウジングを備え、該ブロアモータハウジング内に外気を導入してブロアモータを冷却し、該ブロアモータを冷却した冷却風を上記送風流路に吸引させることを特徴とする。
【００１６】
この発明によると、ブロア装置のブロアモータハウジング内に外気を導入して冷却し、このブロアモータを冷却した冷却風を送風流路に吸引させることにより、ブロアモータの駆動によって発生するカーボンダストや回転部の摩耗により発生する塵埃は、冷却風と共に送風流路を介してブロアケース内に吸引されてフィルタによって清浄され、塵埃及びカーボンダスト等が外部に排出されることが防止できる。
【００１７】
また、ブロアモータの駆動によって発生するカーボンダストや回転部の摩耗により発生する塵埃がブロアモータ及びブロアモータハウジング内に堆積することがなく、メンテナンス作業の簡素化が可能になる。
【００１８】
請求項２に記載の発明は、吸引口を備えた吸入流路が集塵室を介してブロアケースに連通し、該ブロアケース内に配置されたブロアファン及び該ブロアファンを回転駆動するブロアモータを具備するブロア装置によってブロアケース内に作業空気を吸引して集塵室内を負圧せしめて塵埃を上記吸引口から吸入流路を介して集塵室に吸引収容すると共に作業空気をブロアケース内に配置されたフィルタで清浄して外部に排出する清掃装置において、上記ブロア装置は、上記ブロア装置は、ブロアモータを収容するブロアモータハウジングを備え、該ブロアモータハウジング内に外気を導入してブロアモータを冷却し、該ブロアモータを冷却した冷却風を上記フィルタより上流側でブロアケース内に吸引させることを特徴とする。
【００１９】
この発明によると、ブロア装置のブロアモータハウジング内に外気を導入して冷却し、このブロアモータを冷却した冷却風を送風流路に吸引させることにより、ブロアモータの駆動によって発生するカーボンダストや回転部の摩耗により発生する塵埃が冷却風と共にブロアケース内に吸引されてフィルタによって清浄され、塵埃及びカーボンダスト等が外部に排出されることが防止できる。
【００２０】
また、ブロアモータの駆動によって発生するカーボンダストや回転部の摩耗により発生する塵埃がブロアモータ及びブロアモータハウジング内に堆積することがなく、メンテナンス作業の簡素化が可能になる。
【００２１】
請求項３に記載の発明は、吸引口を備えた吸気通路が集塵室及び該集塵室に連続する送風流路を介してブロアケースに連通し、該ブロアケース内に配設されたブロアファン及び該ブロアファンを回転駆動するブロアモータを具備するブロア装置によってブロアケース内に作業空気を吸引して集塵室内を負圧せしめて塵埃を上記吸引口から上記吸入流路を介して上記集塵室に吸引収容すると共にブロアケース内に配置したフィルタで作業空気を清浄して外部に排出する清掃装置において、上記ブロアケース内を区画して形成した、上記ブロアモータが配置され外気を導入してブロアモータを冷却するブロアモータ室と、該ブロアモータ室と上記送風流路を連通してブロアモータを冷却した冷却風を上記送風流路に吸引させる冷却風ダクトとを備えたことを特徴とする。
【００２２】
この発明によると、ブロア装置のブロアモータが収容されるモータ収容室と送風流路とを冷却風ダクトで連通してブロアモータを冷却した冷却風を送風流路に吸引させる簡単な構成で塵埃及びカーボンダスト等が外部に排出されることが防止できる。また、ブロアモータの駆動によって発生するカーボンダストや回転部の摩耗により発生する塵埃は、冷却風と共にブロアモータハウジング内から搬出され、ブロアモータハウジング内やモータ収容室内に堆積することなく、ブロアモータの長期に亘る安定した使用が確保できてメンテナンス作業の簡素化が可能になる。
【００２３】
請求項４に記載の発明は、請求項１〜３のいずれか１項に記載の清掃装置において、上記フィルタは、ＨＥＰＡフィルタを含む複数のフィルタを備えたことを特徴とする。
【００２４】
この発明によると、微粒子状の塵埃を捕集可能なＨＥＰＡフィルタを備えることから、微細な塵埃やカーボンダスト等が確実に捕集され、微細な塵埃及びカーボンダスト等が外部に排出されることが確実に防止できる。
【発明の効果】
【００２５】
本発明によると、ブロア装置のブロアモータを外気を導入して冷却し、このブロアモータを冷却した冷却風を送風流路に吸引させることにより、ブロアモータの駆動によって発生するカーボンダストや回転部の摩耗により発生する塵埃が冷却風と共に送風流路を介してブロアケース内に吸引されてフィルタによって清浄され、塵埃及びカーボンダスト等が外部に排出されることが防止できる。
【発明を実施するための最良の形態】
【００２６】
以下本発明による清掃装置の一実施の形態を自走式清掃装置を例に図１乃至図８を参照して説明する。
【００２７】
図１は自走式清掃装置１の正面図、図２は自走式清掃装置１の側面図、図３は自走式清掃装置１の下面図であり、図４は自走式清掃装置１の内部構成の配置を概略的に示す斜視図である。
【００２８】
自走式清掃装置１は、清掃範囲の障害物等を検知し避けながら被清掃面となる床面上を走行する走行装置１０と、床面の清掃を行う清掃装置２０を具備する。
【００２９】
走行装置１０は、本体２の下部に設けられ、図１乃至図４に示すように前後方向中央位置の左右に設けられた一対の走行用の駆動輪１１と、前後にそれぞれ設けられて自走式清掃装置１の走行に応じて揺動自在な前キャスタ１２及び後キャスタ１３とを備える。左右の駆動輪１１は図３に示すように減速機を介して駆動モータ１４に連結される。この自走式清掃装置１の走行操舵は左右の駆動輪１１の回転数差により行われ、方向転換は左右の駆動輪１１を互いに逆回転させて行われる。また、前キャスタ１２より前部位置に前方方向及び左右方向の障害物の検知を行う障害物センサ１５を設け、後キャスタ１３の後部位置に車体側方の障害物を検知する障害物センサ１６が設ける。
【００３０】
次に図１乃至図４及び模式的に示す図５を参照して清掃装置２０を説明する。
【００３１】
清掃装置２０は、洗浄液用タンク２２に貯留された洗浄液を自走式清掃装置１の下部に配置されたノズル２３から床面に散布する洗浄液散布手段２１、ノズル２３の後方においてブラシモータ２４によって回転駆動されて床面を磨く３個の回転ブラシ２５、床面上の塵埃等が含まれた洗浄液を作業空気と共に吸引するスクイジ部２６が前方から後方に順に配置される。スクイジ部２６は図３及び図４に示すように自走式清掃装置１の後部下方位置に略半円弧状に湾曲したスクイジ本体２６ａの下端に床面に接するゴム製のワイパ部２６ｂが設けられ、ワイパ部２６ｂの中央部前方に吸引口２７ａが開口する吸入流路２７を有する。
【００３２】
吸入流路２７は集塵室となる汚水タンク２８に接続され、汚水タンク２８に送風流路２９を介してブロアケース３０が連続形成される。ブロアケース３０内に比較的大径に形成されたブロアファン５８を収容するブロアファンハウジング５７と比較的小径に形成されてブロアファン５８を回転駆動するブロアモータ５９を収容するブロアモータハウジング５６がユニット化されたブロア装置５５が収容される。ブロアモータハウジング５６の後面にブロアモータ５９内に形成された冷却風流路内を通過してブロアモータ５９を冷却する冷却風導入口５６ａが開口し、ブロアハウジング５７の後面にブロアモータ５９を冷却した冷却風を排出する冷却風導出口５６ｂが開口している。ブロアモータ５９内に形成された冷却風路を流れる冷却風によってブロアモータ５９が効率的に冷却できる。
【００３３】
ブロアハウジング５７の前面中央に作業空気入口５７ａが開口し、外周に複数の作業空気出口５７ｂが開口している。これによりブロアモータ５９によって回転駆動されるブロアファン５８によってフィルタ室３２内の作業空気が作業空気入口５７ａからブロアハウジング５７に吸引され、作業空気出口５７ｂから送出される。
【００３４】
送風流路２９とブロア装置５５との間におけるブロアケース３０内に上流側から下流側に順にミストセパレータ６１、プレフィルタ６２、ＨＥＰＡフィルタ６３が配置される。また、ブロアモータ５９を収容するモータ収容室３３Ａと送風流路２９との間を連通してブロアモータ５９を冷却した冷却風を送風流路２９に吸引する冷却風ダクト５１が設けられる。
【００３５】
次に図６乃至図８を参照してブロアケース３０の具体的構成を説明する。図６はブロアケース３０の概要を示す図４のＩ−Ｉ線断面図、図７はブロアケース３０の平面図、図８は図６のＩＩ矢視図である。
【００３６】
ブロアケース３０は、上面３２ａ、下面３２ｂ、側面３２ｃ、３２ｄを有する矩形中空断面形状で延在するフィルタ室３２と、上面３３ａ、下面３３ｂ、側面３３ｃ、３３ｄを有してフィルタ室３２より大きな矩形断面形状で延在するブロア室３３とが、中央部に通風口３４ａが開口する仕切壁３４を介して同軸上に連続形成されたケース本体３１を有する。フィルタ室３２の開放端を形成する上面３２ａ、下面３２ｂ、側面３２ｃ及び３２ｄの端部に結合フランジ３１ａが折曲形成される。
【００３７】
ケース本体３１のフィルタ室３２の軸方向中間に内方に突出する位置決め部材３２ｅが設けられ、フィルタ室３２の開放端に折曲形成された結合フランジ３１ａにシール部材３５を介在してフィルタ室３２に連続する矩形中空断面形状のプレフィルタカバー３６の一端縁に折曲形成されたフランジ３６ａがボルト結合される。プレフィルタカバー３６の軸方向中間に内方に突出する位置決め部材３６ｃが設けられる。プレフィルタカバー３６の他端縁に折曲形成されたフランジ３６ｂに、シール部材３７を介在して矩形中空断面形状のミストセパレータカバー３８の一端縁に折曲形成されたフランジ３８ａがボルト結合される。更にミストセパレータカバー３８の他方端縁に折曲形成されたフランジ３８ｂに、中央部に送風流路２９が接続されてテーパ状に拡開する周面を備えたエンドパネル４０の周縁に形成されたフランジ４０ａがシール部材３９を介在してボルト結合される。
【００３８】
このミストセパレータカバー３８内に、断面矩形で軸方向に延在して気液分離機能を有するミストセパレータ６１が、その入口側端面の周縁がシール部材３９に当接して配置され、ミストセパレータ６１の入口側端面の周縁とミストセパレータカバー３８との隙間はシール部材３９によって気密的にシールされる。
【００３９】
プレフィルタカバー３６内に、プレフィルタ６２が、その入口側端面の周縁がシール部材３７に当接すると共に出口側端面の周縁が位置決め部材３６ｃに当接した状態で収容配置され、プレフィルタ６２の入口側端面の周縁とプレフィルタカバー３６との隙間はシール部材３７によって気密的にシールされる。
【００４０】
フィルタ室３２内に、微粒子状の塵埃を捕集可能な断面矩形で軸方向に延在するＨＥＰＡフィルタ６３が、その入口側端面の周縁がシール材３５に当接すると共に出口側端面の周縁がフィルタ室３２に設けられた位置決め部材３２ｅに当接した状態で収納配置される。ＨＥＰＡフィルタ６３の入口側端面の周縁とフィルタ室３２の隙間はシール部材３５によって気密的にシールされる。
【００４１】
一方、ケース本体３１のブロア室３３の内周面に仕切壁３４と間隔を隔てて対向する隔壁４１が設けられる。隔壁４１は、ブロア装置５５のブロアモータハウジング５６より若干大径の開口部４１ａが形成される。ブロア装置５５のブロアハウジング５７の前面外周縁を仕切壁３４に当接すると共にブロアモータハウジング５６を開口部４１ａに貫通させてブロアハウジング５７の後面外周縁と隔壁４１の開口部４１ａの周縁部間に環状のシール部材４２及びリテーナ４３を介在してボルト結合することによりブロア装置５５を隔壁４１に取り付け、かつブロアハウジング５７の後面外周縁と開口部４１ａとの間を気密的にシールする。
【００４２】
ブロアモータハウジング５６の後面外周縁に環状のシール材４５を介在して開口部４６ａを有する端部区画壁４６の内周縁をボルト結合する。更に端部区画壁４６の外周縁がブロア室３３の後端に結合される。更に、外気導入口４８ａが開口してテーパ状の周面を備えるエンドパネル４８の周縁に形成されたフランジ４８ｂを端部区画壁４６の外周縁４６ｂに重ねてボルト結合する。
【００４３】
これによりブロア室３３内に隔壁４１と端部区画壁４６によって密閉状態に区画されたモータ収容室３３Ａが形成され、仕切壁３４と隔壁４１との間にフィルタ室３１に連続するブロアハウジング収容室３３Ｂが形成される。
【００４４】
また、ブロアモータハウジング５６の後面に開口する冷却風入口５６ａが端部区画壁４６の開口部４６ａ及びエンドパネル４８の外気導入口４８ａを経て外部に開放される。またブロアハウジング５７の後面に開口する冷却風出口５６ｂがモータ収容室３３Ａに開放される。
【００４５】
ブロアケース３０に形成されたモータ収容室３３Ａを形成する上面３３ａに開口する冷却風出口３３eと送風流路２９の下流端近傍とを冷却風ダクト５１を介して連通する。この送風流路２９と冷却風ダクト５１の接続部において、送風流路２９の軸方向に対して冷却風ダクト５１の軸線方向が鋭角、例えば３０°の交差角度で送風流路２９と冷却風ダクト５１とが連通している。ブロアハウジング収容室３３Ｂを形成する側面３３ｃに外部に連通する筒状の排出口５２が形成される。
【００４６】
この構成により、ブロア装置５５の作動により吸引されてブロアケース３０のフィルタ室３２内が減圧され、送風流路２９を介して汚水タンク２８内が負圧せしめられ、吸入流路２７の吸引口２７ａから吸い込まれた作業空気が吸入流路２７、汚水タンク２８、送風流路２９を経てブロアケース３０のフィルタ室３２に導入され、ブロア装置５５のブロアハウジング５６の作業空気入口５７ａからブロアハウジング５６内に導入され、作業空気出口５７ｂから送風され排出口５２から外部に排出される作業空気流通経路Ｆが形成される。
【００４７】
一方、送風流路２９を介して冷却風ダクト５１内の空気が吸引されてブロアケース３０のモータ収容室３３Ａが負圧せしめられ、エンドパネル４８の外気導入口４８ａからブロアモータハウジング５６の冷却風導入口５６ａからブロアモータハウジング５６内に導入され、ブロアモータ５９を冷却した後、冷却風導出口５６ｂからモータ収容室３３Ａ及び冷却風ダクト５１から送風流路２９を経てブロアケース３０のフィルタ室３２に導入され、ブロア装置５５のブロアハウジング５６の作業空気入口５７ａからブロアハウジング５６内に導入され、作業空気出口５７ｂから送風され排出口５２から外部に排出される冷却空気流通経路Ｃが形成される。
【００４８】
このように構成された自走式清掃装置１は、走行と共にノズル２３から洗浄液用タンク２２内の洗浄液を床面に散布し、その後洗浄液の存在下で回転する回転ブラシ２５で床面を磨き、かつブロア装置５５によって汚水タンク２８内が負圧せしめられて作業空気流通経路Ｆが形成されてスクイジ部２６によって集積された塵埃を含む洗浄液と共に作業空気を吸入流路２７の吸引口２７ａから吸引して洗浄液を汚水タンク２８内に塵埃を含む汚水を吸引貯留して回収する。更に、汚水等が除去された作業空気が汚水タンク２８からブロア装置５５によって吸引されてブロアケース３０内に吸引されて、ミストセパレータ６１によって水滴が除去され、プレフィルタ６２を通過する間に塵埃等が捕集され、更にＨＥＰＡフィルタ６３によって微粒子状の塵埃が捕集され、混在する塵埃が極めて少ない清浄な空気がブロア装置５５のブロアハウジング５６の作業空気入口５７ａからブロアハウジング５６内に導入され、作業空気出口５７ｂから送風されて排出口５２から外部に排出される。
【００４９】
また、送風流路２９を介して冷却風ダクト５１内の空気が吸引されてブロアケース３０のモータ収容室３３Ａが負圧せしめられて冷却空気流通経路Ｃが形成されて、エンドパネル４８の外気導入口４８ａから外気が吸引され、ブロアモータハウジング５６の冷却風導入口５６ａからブロアモータハウジング５６内に導入されてブロアモータ５９を冷却し、各冷却風導出口５６ｂからモータ収容室３３Ａに導かれ、モータ収容室３３Ａにおいてブロアモータハウジング５６の外周に沿って流れる空気流が発生してブロアモータハウジング５６を介して内部のブロアモータ５９を冷却すると共に冷却風ダクト５１から送風流路２９を経てブロアケース３０のフィルタ室３２に導入され、ミストセパレータ６１、プレフィルタ６２及びＨＥＰＡフィルタ６３によって微粒子状の塵埃及びブロアモータ５９の駆動によって発生したカーボンダストや回転部分の摩耗等により発生した微粒子状の粉塵が捕集され、混在する塵埃が極めて少ない清浄な空気がブロア装置５５のブロアハウジング５７の作業空気入口５７ａからブロアハウジング５７内に導入され、作業空気出口５７ｂから送風されて排出口５２から外部に排出され塵埃及びカーボンダスト等が外部に排出されることが防止できる。
【００５０】
従って、本実施の形態によるとブロア装置５５のブロアモータ５９が収容されるブロアモータハウジング５６を収容するブロアケース３０のモータ収容室３３Ａと送風流路２９とを冷却風ダクト５１で連通する簡単な構成で塵埃及びカーボンダスト等が外部に排出されることが防止でき、従来のブロアケース等を大きく変更する必要がなく、従来の清掃装置に容易に適用するこが可能であり製造コストの抑制ができる。また、ブロアモータ５９の駆動によって発生するカーボンダストや回転部の摩耗により発生する塵埃は、冷却風と共にブロアモータハウジング５６内から搬出され、ブロアモータ５９内やブロアモータハウジング５６内、モータ収容室３３Ａ内等に堆積することなく、ブロアモータ５９の長期に亘る安定した使用が確保でき、かつブロアモータ５９内、ブロアモータハウジング５６内、モータ収容室３３Ａ内等にカーボンダスト等が堆積することがなく、メンテナンス作業の簡素化が可能になる。
【００５１】
なお、本発明は上記実施の形態に限定されることなく発明の趣旨を逸脱しない範囲で種々変更可能である。例えば上記実施の形態では冷却風ダクト５１の下流端を送風流路２９に接続したが、ブロアモータ５９に冷却した冷却風をプリフィルタ６２より上流側でブロアケース３０内に吸引させることもできる。具体的にはミストセパレータ６１より上流側のエンドパネル４０等に接続する。
【００５２】
また、上記実施の形態では洗浄液散布手段２１により洗浄液を散布する散水式の清掃装置を例に説明したが、洗浄液を散布しない清掃装置に適用することもできる。この場合にはミストセパレータ６１を省略することができる。
【図面の簡単な説明】
【００５３】
【図１】本発明の一実施の形態に係る自走式清掃装置の正面図である。
【図２】同上、自走式清掃装置の側面図である。
【図３】同上、自走式清掃装置の下面図である。
【図４】同上、自走式清掃装置の内部構成の配置を概略的に示す斜視図である。
【図５】同上、自走式清掃装置の清掃装置を模式的に示す図である。
【図６】同上、ブロアケースの概要を示す図４のＩ−Ｉ線断面図である。
【図７】同上、ブロアケースの平面図である。
【図８】同上、図６のＢ矢視図である。
【図９】従来の清掃装置を模式的に示す図である。
【符号の説明】
【００５４】
１          自走式清掃装置（清掃装置）
１０        走行装置
２０        清掃装置
２１        洗浄液散布手段
２２        洗浄液用タンク
２５        回転ブラシ
２６        スクイジ部
２７        吸入流路
２７ａ      吸引口
２８        汚水タンク（集塵室）
２９        送風流路
３０        ブロアケース
３１        ケース本体
３３Ａ      モータ収容室
５１        冷却風ダクト
５２        排出口
５５        ブロア装置
５６        ブロアモータハウジング
５７        ブロアハウジング
５８        ブロアファン
５９        ブロアモータ
６１        ミストセパレータ
６２        プレフィルタ（フィルタ）
６３        ＨＥＰＡフィルタ（フィルタ）
Ｆ          作業空気流通経路
Ｃ          冷却風流通経路
【図１】
2010082365.tif 000003
【図２】
2010082365.tif 000004
【図３】
2010082365.tif 000005
【図４】
2010082365.tif 000006
【図５】
2010082365.tif 000007
【図６】
2010082365.tif 000008
【図７】
2010082365.tif 000009
【図８】
2010082365.tif 000010
【図９】
2010082365.tif 000011